(57)【要約】【課題】既存の小型情報端末を用いて視聴したいコンテンツを任意に選択して決済を行え、視聴権を購入できると共に視聴者が所望する受像器で閲覧する。【解決手段】小型情報端末との通信によって前記小型情報端末の利用者が受像器にてコンテンツを視聴のための決済処理を決済・認証サーバ３０は通信処理部３０１と決済処理部３０４とを備える。通信処理部３０１は前記小型情報端末から前記受像器の識別子と前記コンテンツの識別子が引数として付与されたコンテンツ情報要求に基づくコンテンツ情報を前記小型情報端末に送信する。決済処理部３０４は前記コンテンツ情報を受けた小型情報端末から前記受像器の識別子が引数として付与されたコンテンツの選択と決済の要求に基づく前記選択されたコンテンツの決済処理を行う。【選択図】図１
2010170253.tif 000002
【特許請求の範囲】
【請求項１】
小型情報端末との通信によって前記小型情報端末の利用者が受像器にてコンテンツを視聴のための決済処理を行う決済認証サーバであって、
前記小型情報端末から前記受像器の識別子と前記コンテンツの識別子が引数として付与されたコンテンツ情報要求に基づくコンテンツ情報を前記小型情報端末に送信する通信処理手段と、
前記コンテンツ情報を受けた小型情報端末から前記受像器の識別子が引数として付与されたコンテンツの選択と決済の要求に基づく前記選択されたコンテンツの決済処理を行う決済処理手段と
を備えたこと
を特徴とする決済認証サーバ。
【請求項２】
小型情報端末との通信によって前記小型情報端末の利用者が受像器にてコンテンツを視聴のための決済処理を行う決済認証サーバであって、
前記小型情報端末がコンテンツ供給源との通信によって選択したコンテンツの識別子と前記コンテンツ供給源の識別子とが引数として付与された前記コンテンツに対する決済要求と前記コンテンツの購入を証明する電子データの取得要求とを前記小型情報端末から受信する通信処理手段と、
前記決済の要求に基づく前記コンテンツの決済処理を行う決済処理手段と、
前記電子データの取得要求に基づき前記電子データを生成する電子データ作成手段と、
を備え、
前記決済処理手段にて決済処理が完了すると、前記通信処理手段は前記電子データ作成手段にて作成された電子データを前記小型情報端末に送信すること
を特徴とする決済認証サーバ。
【請求項３】
前記通信処理手段を介して前記小型情報装置からコンテンツ情報の取得要求を受けて、前記コンテンツ供給源に対するコンテンツ情報要求を作成する電文処理手段を備え、
前記通信処理手段は、前記作成された要求コンテンツ情報要求を前記コンテンツ供給源に送信し、前記コンテンツ供給源から返信された前記要求コンテンツ情報要求に基づくコンテンツ情報を前記小型情報端末に送信すること
を特徴とする請求項１または２に記載の決済認証サーバ。
【請求項４】
前記コンテンツ供給源は前記受像器の認識番号としてＣＡＳカードＩＤを格納していることを特徴とする請求項１または２に記載の決済認証サーバ。
【請求項５】
前記コンテンツ供給源は、コンテンツそのものとコンテンツに関するコンテンツ情報を蓄積している蓄積手段と、受像器から送付される受像器認識番号を取得する手段と、この受像器認識番号を含んだ各種情報入力をカメラ装置で撮影可能な画像に変換する手段とを備え、
前記受像器認識番号とこの番号と重複しない受像器識別子とが１：１で対応付けて記録する受像器識別テーブルを有し、供給するコンテンツには少なくとも前記受像器識別子が含まれるようにしたこと
を特徴とする請求項１または２に記載の決済認証サーバ。
【請求項６】
コンテンツ供給源は蓄積しているコンテンツを画像に変換する際に前記決済認証サーバのＵＲＩを合わせて画像に変換することを特徴とする請求項１または２に記載の決済認証サーバ。
【請求項７】
小型情報端末との通信によって前記小型情報端末の利用者が受像器にてコンテンツを視聴のための決済処理を決済認証サーバが行う決済処理方法であって、
前記決済認証サーバは通信処理手段と決済処理手段とを備え、
前記通信処理手段が、前記小型情報端末から前記受像器の識別子と前記コンテンツの識別子が引数として付与されたコンテンツ情報要求に基づくコンテンツ情報を前記小型情報端末に送信するステップと、
前記決済処理手段が、前記コンテンツ情報を受けた小型情報端末から前記受像器の識別子が引数として付与されたコンテンツの選択と決済の要求に基づく前記選択されたコンテンツの決済処理を行うステップと
を有すること
を特徴とする決済認証方法。
【請求項８】
小型情報端末との通信によって前記小型情報端末の利用者が受像器にてコンテンツを視聴のための決済処理を決済認証サーバが行う決済処理方法であって、
前記決済認証サーバは通信処理手段と決済処理手段と電子データ作成手段とを備え、
前記通信処理手段が、前記小型情報端末がコンテンツ供給源との通信によって選択したコンテンツの識別子と前記コンテンツ供給源の識別子とが引数として付与された前記コンテンツに対する決済要求と前記コンテンツの購入を証明する電子データの取得要求とを前記小型情報端末から受信するステップと、
前記決済処理手段が、前記決済の要求に基づく前記コンテンツの決済処理を行うステップと、
前記電子データ作成手段が、前記電子データの取得要求に基づき前記電子データを生成するステップと、
前記決済処理のステップが完了すると、前記通信処理手段が、前記電子データ作成手段にて作成された電子データを前記小型情報端末に送信するステップと
を有すること
を特徴とする決済認証方法。
【請求項９】
請求項１から６のいずれか１項に記載の決済認証サーバを構成する各手段としてコンピュータを機能させることを特徴とするプログラム。
【請求項１０】
請求項９に記載のプログラムを記録したコンピュータ読み取り可能な記録媒体。
【発明の詳細な説明】
【技術分野】
【０００１】
本発明は、コンテンツ販売方式、視聴方式および受像器と情報端末の使用方法に関する技術分野、特に、有料サービスにおける受信機と携帯電話等の小型情報端末を用いてコンテンツに対する課金処理を実現する技術に関する。
【背景技術】
【０００２】
従来の有料コンテンツ配信サービスの実現においては、ＣＡＳ等の受像器毎に割り当てられた重複のない識別子を用いて、フラットレート（月額制や日額制）またはコンテンツ毎課金（ＶｏＤサービス）でサービスが提供されることが一般的である。
【０００３】
その実現は、非特許文献１に記載されているような方式で実現される。この方式の特徴は、受像器に割り当てられている識別子に重複がなく複製が極めて困難であるということを担保とすることにより、当該識別子と対応した課金口座を用いたコンテンツ配信方式や当該識別子を復号時に必要不可欠な鍵とするようなコンテンツ配信方式、またはこれらの方式を組み合わせることにより、有料コンテンツ配信の仕組みを実現している。
【非特許文献１】米谷、山下、藤原，”デジタル放送に対応した限定受信システム”，東芝レビューＶｏｌ．５５，Ｎｏ．１２，株式会社東芝発行，２０００年１２月１日，ｐ．２６−２９
【発明の開示】
【発明が解決しようとする課題】
【０００４】
しかしながら、従来方式においては、課金の口座が受像器に又はそれに属する物に紐付けられているため、例えば、他人が所有権を有する受像器で有料コンテンツ配信・視聴サービスを受けるためには、その受像器に結びつけられている課金口座を切り替える処理を必要とする。この切り替え作業は、当該配信・視聴システム構築時に切り替える事を前提として設計された一部のシステム以外においては、非常に煩雑な処理でありかつ、クレジットカード番号漏洩の危険性が増すなど、セキュリティの面においても望ましくはない。
【０００５】
また、所有者が同一であっても、複数の受像器を有する場合には、課金処理を行った受像器でのみコンテンツの閲覧が可能となり、それ以外の受像器ではコンテンツの視聴ができないため、利便性を著しく阻害する要因となっている。
【課題を解決するための手段】
【０００６】
そこで、前記課題を解決するための決済認証サーバ、決済認証方法は、受信機の画面に識別子を認識可能な画像として表示させ、情報装置の撮像機能により認識し、決裁処理に結びつけることにより視聴者にとって既存の任意の受信機による視聴が可能となる。
【０００７】
すなわち、請求項１の決済認証サーバは、小型情報端末との通信によって前記小型情報端末の利用者が受像器にてコンテンツを視聴のための決済処理を行う決済認証サーバであって、前記小型情報端末から前記受像器の識別子と前記コンテンツの識別子が引数として付与されたコンテンツ情報要求に基づくコンテンツ情報を前記小型情報端末に送信する通信処理手段と、前記コンテンツ情報を受けた小型情報端末から前記受像器の識別子が引数として付与されたコンテンツの選択と決済の要求に基づく前記選択されたコンテンツの決済処理を行う決済処理手段とを備える。
【０００８】
請求項２の決済認証サーバは、小型情報端末との通信によって前記小型情報端末の利用者が受像器にてコンテンツを視聴のための決済処理を行う決済認証サーバであって、前記小型情報端末がコンテンツ供給源との通信によって選択したコンテンツの識別子と前記コンテンツ供給源の識別子とが引数として付与された前記コンテンツに対する決済要求と前記コンテンツの購入を証明する電子データの取得要求とを前記小型情報端末から受信する通信処理手段と、前記決済の要求に基づく前記コンテンツの決済処理を行う決済処理手段と、前記電子データの取得要求に基づき前記電子データを生成する電子データ作成手段と、を備え、前記決済処理手段にて決済処理が完了すると、前記通信処理手段は前記電子データ作成手段にて作成された電子データを前記小型情報端末に送信する。
【０００９】
請求項３の決済認証サーバは、請求項１または２の決済認証サーバにおいて、前記通信処理手段を介して前記小型情報装置からコンテンツ情報の取得要求を受けて、前記コンテンツ供給源に対するコンテンツ情報要求を作成する電文処理手段を備え、前記通信処理手段は、前記作成された要求コンテンツ情報要求を前記コンテンツ供給源に送信し、前記コンテンツ供給源から返信された前記要求コンテンツ情報要求に基づくコンテンツ情報を前記小型情報端末に送信する。
【００１０】
請求項４の決済認証サーバは、請求項１または２の決済認証サーバにおいて、前記コンテンツ供給源は前記受像器の認識番号としてＣＡＳカードＩＤを格納している。
【００１１】
請求項５の決済認証サーバは、請求項１または２の決済認証サーバにおいて、前記コンテンツ供給源は、コンテンツそのものとコンテンツに関する情報を蓄積している蓄積手段と、前記受像器から送付される受像器認識番号を取得する手段と、この受像器認識番号を含んだ各種情報入力をカメラ装置で撮影可能な画像に変換する手段とを備え、前記受像器認識番号とこの番号と重複しない受像器識別子とが１：１で対応付けて記録する受像器識別テーブルを有し、供給するコンテンツには少なくとも前記受像器識別子が含まれるようにしている。
【００１２】
請求項６の決済認証サーバは、請求項１または２の決済認証サーバにおいて、コンテンツ供給源は蓄積しているコンテンツを画像に変換する際に前記決済認証サーバのＵＲＩを合わせて画像に変換する。
【００１３】
請求項７の決済認証方法は、小型情報端末との通信によって前記小型情報端末の利用者が受像器にてコンテンツを視聴のための決済処理を決済認証サーバが行う決済処理方法であって、前記決済認証サーバは通信処理手段と決済処理手段とを備え、前記通信処理手段が前記小型情報端末から前記受像器の識別子と前記コンテンツの識別子が引数として付与されたコンテンツ情報要求に基づくコンテンツ情報を前記小型情報端末に送信するステップと、前記決済処理手段が前記コンテンツ情報を受けた小型情報端末から前記受像器の識別子が引数として付与されたコンテンツの選択と決済の要求に基づく前記選択されたコンテンツの決済処理を行うステップを有する。
【００１４】
請求項８の決済認証方法は、小型情報端末との通信によって前記小型情報端末の利用者が受像器にてコンテンツを視聴のための決済処理を決済認証サーバが行う決済処理方法であって、前記決済認証サーバは通信処理手段と決済処理手段と電子データ作成手段とを備え、前記通信処理手段が、前記小型情報端末がコンテンツ供給源との通信によって選択したコンテンツの識別子と前記コンテンツ供給源の識別子とが引数として付与された前記コンテンツに対する決済要求と前記コンテンツの購入を証明する電子データの取得要求とを前記小型情報端末から受信するステップと、前記決済処理手段が、前記決済の要求に基づく前記コンテンツの決済処理を行うステップと、前記電子データ作成手段が、前記電子データの取得要求に基づき前記電子データを生成するステップと、前記決済処理のステップが完了すると、前記通信処理手段が、前記電子データ作成手段にて作成された電子データを前記小型情報端末に送信するステップを有する。
【００１５】
請求項９のプログラムは、請求項１から６のいずれかの決済認証サーバを構成する各手段としてコンピュータを機能させるプログラムである。
【００１６】
請求項１０の記録媒体は、請求項９のプログラムを記録したコンピュータ読み取り可能な記録媒体である。
【発明の効果】
【００１７】
以上の発明によれば、コンテンツ視聴者は、既存の小型情報端末を用いて、視聴したいコンテンツを任意に選択して、決済を行い、視聴権を購入できると共に視聴者が所望する受像器で閲覧できる。また、既存の小型情報端末、受像器を利用できるので、本発明の導入コストを非常に低く抑えることができる。
【発明を実施するための最良の形態】
【００１８】
図７は発明の実施形態に係る決済・認証サーバ３０の概略構成図である。
【００１９】
以下の発明の実施形態に係る決済・認証サーバ３０は、視聴者が所望するコンテンツを小型情報端末（例えば図６に例示された携帯電話等の小型情報端末１０，２０）で選択し、それに必要な課金処理を行った上で、視聴者が所望するデジタル方式の受像器（例えば図９に例示されたテレビジョン装置等の受像器５０）で前記コンテンツの視聴を可能とするサービスおよびアプリケーションを実現することができる。尚、受像器５０、小型情報端末１０，２０は既存の装置を用いればよく、特段の改造や機能強化を施す必要はない。
【００２０】
受像器５０は図８に例示されたコンテンツ供給源であるコンテンツ蓄積・送出部４０からコンテンツを受信している。コンテンツ蓄積・送出部４０は以下の点で従来方式と異なる。コンテンツ視聴者が視聴を所望する受像器５０を補足するための手段を有している。そして、その補足結果を一時的に他の識別子に置き換え、それに加え、指定された任意の情報を画像として受像器５０に送出する機能を有していることである。次いで、その画像を解析し、元の情報を取り出す小型情報端末１０，２０を利用することである。この小型情報端末１０，２０を用いてコンテンツ選択と決済を実施することである。その決済情報を有する決済・認証サーバ３０が決済完了通知とコンテンツ蓄積・送出部４０に通知することである。その決済完了通知を受けて最初の段階においてコンテンツ蓄積・送出部４０が補足した受像器５０に視聴者が所望したコンテンツの送出を開始するというフロー（シーケンス１）で動作することである。
【００２１】
決済・認証サーバ３０を備えたコンテンツ配信システムによれば、小型情報端末等で視聴したいコンテンツに対して、個別に課金・決済のコントロールが可能である他、視聴者がコンテンツを視聴したい受像器等を任意に選択することも可能である。
【００２２】
また、一般に広く市販されているＩＰを用いた映像配信システムに対応した受像器（テレビジョン装置、いわゆる、ＩＰ  ＳＴＢやＩＰ  ＴＶ）に対する追加機能や改造を一切施す必要はなく、さらに、一般に広く市販されている携帯電話にも一切の追加機能や改造を施すことなく実施が可能となる。
【００２３】
さらに、従来技術では小型装置（携帯電話等）と受像器（テレビジョン装置）の間での通信を傍受した際には、コンテンツ提供事業者に著しい損害が発生する可能性があるが、本発明においては一般的な手段で通信を傍受した場合であっても、コンテンツ提供者に著しい損害は発生し得ない。
【００２４】
（実施形態１）
図１は実施形態１に係るシーケンス１を示す。シーケンス１は最もシンプルかつ実用的に利用可能な実施形態である。シーケンス１は小型情報端末１０、決済・認証サーバ３０、コンテンツ蓄積・送出部４０、受像器５０により構成される配信システムによって実行される。この配信システムでは利用者が小型情報端末１０の操作をすることにより視聴するコンテンツの選択、コンテンツ視聴のための決済行為、および視聴する受像器５０を選択することが可能となっている。
【００２５】
シーケンス１においては、コンテンツ選択および決済に必要な情報を事前にコンテンツ蓄積・送出部４０と決済・認証サーバ３０の間でコピー処理をしておき、決済・認証サーバ３０が小型情報端末１０からのコンテンツ情報（ＥＣＧ）の取得要求に対して直接的にレスポンスを返し、決済処理を完了させている。
【００２６】
小型情報端末１０は、一般的な携帯電話等に例示される端末であって、少なくとも、ユーザの指示によりネットワークより任意のアプリケーションのダウンロードとその実行機能と、カメラ装置を具備し当該装置で撮影した映像を解析する事で情報の取得が可能な機能を有する。
【００２７】
図５は本実施形態に係る小型情報端末１０の概略構成図である。小型情報端末１０は具体的には図５に通信処理部１０１と電文処理部１０２と出力処理部１０３と出力装置１０４と入力処理部１０５と入力装置１０６と映像解析部１０７と映像入力装置１０８とを備える。通信処理部１０１は電波を用いて外部との入出力の通信機能を提供する。電文処理部１０２は通信処理部１０１により受信した電文を解釈し、出力処理部１０３に渡す。また、電文処理部１０２は入力処理部１０５より与えられた情報を電文として、通信処理部１０１に渡す。出力処理部１０３は与えられた情報を出力装置１０４が出力可能できる情報に変換する。出力装置１０４は利用者に対して情報を出力する。出力装置１０４としては液晶表示装置、スピーカ等が例示される。入力処理部１０５は入力装置１０６から与えられた電気信号を処理し、電文処理部１０２が処理可能な情報に変換する。入力装置１０６は入力手段であってキーボード・ボタン等が例示される。映像解析部１０７は映像入力装置１０８が捉えた画像を解析し、情報を取り出し、入力処理部１０５に渡す。映像入力装置１０８はＣＭＯＳセンサやＣＣＤセンサなどのカメラ装置が例示される。
【００２８】
決済・認証サーバ３０は、少なくとも、電子コンテンツガイド（ＥＣＧ）等のコンテンツ情報の提示機能と、選択されたコンテンツに対する決済機能を有する。
【００２９】
図７は本実施形態に係る決済・認証サーバ３０の概略構成図である。決済・認証サーバ３０は通信処理部３０１と電文処理部３０２とコンテンツ情報蓄積部３０３と決済処理部３０４とアプリケーション蓄積部３０５とアサーション作成部３０６とを備える。通信処理部３０１は外部との通信処理を行う。電文処理部３０２は通信処理部３０１により受信した電文を解釈し、各機能部とともに必要な処理を行う。また、電文処理部３０２は送出すべき電文の生成をする。具体的には、電文処理部３０２は、決済処理が終了すると、コンテンツを蓄積するコンテンツ供給源（コンテンツ蓄積・送出部４０）に対する受像器５０の識別子と前記コンテンツの識別子を含んだ決済完了通知と、小型情報端末１０，２０に対する決済確認通知とを作成する。コンテンツ情報蓄積部３０３はコンテンツの名称や課金条件等、コンテンツそのもののデータ以外の情報を蓄積している。コンテンツ情報蓄積部３０３は図２に示されたシーケンス１’及び図４に示されたシーケンス２’を実行する場合は不要である。３０４は決済処理を行う。アプリケーション蓄積部３０５は小型情報端末１０，２０に送付するアサーション管理機能部（プログラム）を蓄積している。アプリケーション蓄積部３０５はシーケンス１及び図２に示されたシーケンス１’を実行する場合では不要である。アサーション作成部３０６はコンテンツ購入証明となるアサーションを生成する。具体的には、小型情報端末１０，２０からのコンテンツの購入を証明する電子データの取得要求に基づき前記電子データを生成する。尚、アサーション作成部３０６はシーケンス１，１’実行の場合では不要である。
【００３０】
コンテンツ蓄積・送出部４０は、少なくとも、コンテンツそのものと、コンテンツに関するコンテンツ情報（例えばＥＣＧ）を蓄積する機能と、受像器５０から送付される受像器認識番号を取得する機能と、この受像器認識番号を含んだ各種情報入力をカメラ装置で撮影可能な画像に変換する機能とを有する。
【００３１】
図８は本実施形態に係るコンテンツ蓄積・送出部４０の概略構成図である。コンテンツ蓄積・送出部４０は通信処理部４０１と電文処理部４０２とコンテンツ情報蓄積部４０３とコンテンツ蓄積部４０４とＱＲコード作成部４０５と受像器識別テーブル４０６とを備える。通信処理部４０１は外部との通信処理を行う。電文処理部４０２は通信処理部４０１により受信した電文を解釈し、各機能部とともに必要な処理を行う。また、電文処理部４０２は送出すべき電文の生成や、コンテンツの送出処理を行う。コンテンツ情報蓄積部４０３はコンテンツの名称や課金条件等、コンテンツそのもののデータ以外の情報を蓄積している。コンテンツ蓄積部４０４はコンテンツそのものを蓄積している。ＱＲコード作成部４０５はＱＲコードを生成する。受信器識別テーブル４０６は受像器識別番号（ＣＡＳカードＩＤ）と受像器識別子の対応付けを記録するテーブルである。
【００３２】
コンテンツ蓄積・送出部４０で取得される受像器認識番号はＣＡＳカードＩＤに基づいている。そして、コンテンツ蓄積・送出部４０は、取得した受像器認識番号と重複することなく自動的に生成する受像器識別子を１：１で対応付けて記憶する受像器識別テーブルと、当該受像器識別子を自動的に生成する機能部を有し、本装置が具備している情報の画像変換機能部への入力を、受像器識別子を含む各種情報としている。これらの機能は後述のシーケンス２’でも実行される。
【００３３】
また、コンテンツ蓄積・送出部４０は、情報を画像に変換する際に、決済・認証サーバ３０のＵＲＩを合わせて画像に変換する。さらに、コンテンツ蓄積・送出部４０が情報を画像に変換する際に、自装置を示す識別子を合わせて画像に変換する方式を採用している。これらの機能も後述のシーケンス２’でも実行される。
【００３４】
受像器５０は、少なくとも、電波の受信または通信による信号の受信が可能で、その信号を処理することで、映像や音声、その他の文字情報等の出力を行う。また、視聴者の指示によりチャンネル合わせや必要に応じた通信手段を用いた情報のアップリンクが可能である。
【００３５】
図９は本実施形態に係る受像器５０の概略構成図である。受像器５０は放送インタフェース５０１と暗号処理部５０２と信号分離部５０３と音声復号部５０４と映像復号部５０５と文字情報等復号部５０６と音声出力部５０７と映像出力部５０８と通信インタフェース５０９と制御部５１０とユーザインタフェース入力機能部５１１と受像器認識番号記憶部５１２とを備える。放送インタフェース５０１は放送波を受信し、信号を取り出す。暗号処理部５０２は取り出された信号の暗号を復号する。復号する鍵は受像器認識番号記憶部５１２に保持されている。信号分離部５０３は信号の中から音声信号、映像信号、文字情報等にメディア毎に分離する。音声復号部５０４は音声信号をアナログ信号に変換する。映像復号部５０５は映像信号を映像としてフレームバッファに展開する。文字情報等復号部５０６は音声や映像として出力が可能な型式に変換する。音声出力部５０７は与えられたアナログ信号を音声に変換する。音声出力部５０７としてはスピーカが例示される。映像出力部５０８はフレームバッファに蓄積された信号を映像にする。映像出力部５０８としては、液晶パネル、プラズマパネル、ブラウン管が例示される。通信インタフェース５０９は通信を利用し、信号の取り出し、または信号を送り出す。制御部５１０は通信に関する処理等を行う。また、制御部５１０はユーザの入力処理等を処理する。ユーザインタフェース入力機能部５１１はユーザの入力を受け付ける。ユーザインタフェース入力機能部５１１としてはリモコン等が例示される。受像器認識番号記憶部５１２は識別子を送出する。光学的手法の場合は映像出力部５０８が兼ねることが可能である。音声的手段の場合は音声出力部５０７が兼ねることが可能である。電波的手段の場合はアンテナが例示される。
【００３６】
また、受像器５０と小型情報端末１０（後述の小型情報端末２０）との通信方式としては、光学的信号方式、電波的信号方式、音声的信号方式のいずれか、またはこれらから二つ以上選択したものの組み合わせたものが採用される。
【００３７】
以上の装置１０〜５０は、通常のコンピュータの構成要素、例えばＣＰＵ（Ｃｅｎｔｒａｌ Ｐｒｏｃｅｓｓｏｒ Ｕｎｉｔ）、メモリ（ＲＡＭ）、ハードディスクドライブ装置、通信デバイスなどのハートウェア資源を備え、このハードウェア資源とインストール済みのソフトウェアとの協働によって前記各機能ブロック１０１〜１０８，２０１〜２１０，３０１〜３０６，４０１〜４０６，５０１〜５１１に係る処理が実現できる。そして、この処理によって得られた画像は既知の表示装置にて適宜に表示できるようになっている（後述の小型情報端末２０も同様）。
【００３８】
以下、図１、図５〜図１０、図１２、図１５、図１８を参照しながらシーケンス１について詳細に説明する。
【００３９】
視聴者がリモコン１１によって受像器５０に対してサービスリクエストを送信して番組取得要求を出すように指示を行う（図１のステップ［１ａ］）。前記指示を受けた受像器５０は通信インタフェース５０９を介してコンテンツ蓄積・送出部１に対してリクエストを送出する（図１８のステップ［７０１］）。
【００４０】
コンテンツ蓄積・送出部４０は、図１５に示されたステップ［５０１］［５０２］［５１０］［５１１］［５１５］のコンテンツの選択および決済が完了していない（送出許可フラグが付いたコンテンツが無い）ため、受像器認識番号（ＣＡＳカードＩＤ）を送出するためのチャンネル選択操作のガイダンスを通信処理部４０１から視聴者の受像器５０に対して送出する。そして、視聴者側では受像器５０が当該ガイダンスを映像出力部５０８によって表示する（図１８のステップ［７０２］［７０３］［７０４］）。
【００４１】
視聴者によって受信機認識識別番号（ＣＡＳカードＩＤ）の送出を行うためのチャンネル選択がなされると（図１８のステップ［７０５］）、コンテンツ蓄積・送出部４０は受像器認識番号取得要求を含む信号を受像器５０に送信する（図１４のステップ［５０２］［５０３］）。受像器５０はコンテンツ蓄積・送出部４０に対してＣＡＳカードＩＤを送出する（図１のステップ［１ｂ］，図１８のステップ［７０６］［７０７］［７０８］）。
【００４２】
図１４のステップ［５０４］でＣＡＳカードＩＤを受け取ったコンテンツ蓄積・送出部４０では、電文処理部４０２が、重複することのない十分に長い文字列を生成し（ステップ［５０５］［５０６］）、当該ＣＡＳカードＩＤと生成した文字列を受像器識別子として、ＣＡＳカードＩＤと１：１で対応させ、受像器識別テーブル４０６に記録を行う（ステップ［５０７］）。その後、コンテンツ蓄積・送出部４０では、電文処理部４０２が、決済・認証サーバ３０のＵＲＬに、受像器識別子とコンテンツ蓄積・送出部４０を示す識別子を引数としたＵＲＩを生成し、それに基づくＱＲコードを生成する（ステップ［５０８］）。通信処理部４０１は前記生成したＱＲコードを画像として受像器５０に送出する（図１の［１ｃ］，図１４のステップ［５０９］）。受像器５０は通信インタフェース５０９で受けた前記画像を映像出力部５０８から表示する（図１８のステップ［７０８］）。
【００４３】
受像器５０でＱＲコードが画面に表示されると、利用者が小型情報端末１０で撮影することにより（図１のステップ［１ｄ］）、小型情報端末１０への利用者による指示となる（図１０のステップ［１０１］）。
【００４４】
そして、小型情報端末１０は、通信処理部１０１を介して、ＥＣＧの要求として、前記ＱＲコードで指示されたＵＲＬに対し受像器識別子とコンテンツ蓄積・送出部（ＣＰ）４０の識別子（ＩＤ）を引数としたアクセスを決済・認証サーバ３０に行う（図１のステップ［１ｅ］，図１０のステップ［１０２］）。
【００４５】
決済・認証サーバ３０は、通信処理部３０１で小型情報端末１０からの前記アクセスを受けると、与えられた引数を保持したままＥＣＧを送出する（図１のステップ［１ｆ］，図１２のステップ［３０３］）。小型情報端末１０は通信処理部１０１で前記ＥＣＧを受信し、出力処理部１０３、出力装置１０４を介して当該情報を表示する（図１０のステップ［１０５］［１０６］［１０８］［１１０］）。
【００４６】
決済・認証サーバ３０は、利用者の小型情報端末１０からコンテンツの選択と決済要求を受けると共に（図１のステップ［１ｇ］，図１２のステップ［３０４］［３０５］）、かつ受像器識別子が引数として渡されていると（ステップ［３０６］）、決済処理部３０４にて前記選択されたコンテンツに対する決済処理を行う（ステップ［３０７］［３０８］［３０９］）。
【００４７】
前記決済が正しく処理されると（図１２のステップ［３１０］）、決済・認証サーバ３０は、電文処理部３０２、通信処理部３０４を介して、受像器識別子と決済が完了したコンテンツの識別子をコンテンツ蓄積・送出部４０に対して通知する（図１のステップ［１ｈ］，図１２のステップ［３１１］）。
【００４８】
さらに、決済・認証サーバ３０は、小型情報端末１０に対しても、決済確認通知を送出し（図１のステップ［１ｉ］）、完了通知を利用者に提示する（図１０のステップ［１１０］）。
【００４９】
図１４のステップ［５１６］［５１７］で決済・認証サーバ３０からの決済完了通知として受像器識別子とコンテンツの識別子を受け取ったコンテンツ蓄積・送出部４０は、当該受像器識別子を持つ受像器５０からのリクエストを探し（ステップ［５１８］）、当該リクエストが要求しているコンテンツに対して、送出許可フラグを立てる（ステップ［５１９］）。また、受像器５０に対して初期リクエスト画面を送出中であれば（ステップ［５２０］）、決済の完了と動画像コンテンツの送出準備が完了した旨のガイダンスを送出する（ステップ［５２１］）。
【００５０】
その後、コンテンツ蓄積・送出部４０の処理として、前記送出許可フラグが付いているコンテンツの検出により（ステップ［５１１］）、当該コンテンツを指定された受像器５０に対して通信処理部４０１を介して送出を開始する（図１のステップ［１ｊ］，図１４のステップ［５１２］）。受像器５０は通信インタフェース５０９によって前記コンテンツを受信する。コンテンツの送出が終了すると（図１４のステップ［５１３］）、コンテンツの送出終了処理を行う（ステップ［５１４］）。
【００５１】
また、シーケンス１の変形例として、図２に例示されたシーケンス１’が挙げられる。シーケンス１’は後述のシーケンス２’のステップ［２ｎ］［２ｏ］を有していること以外はシーケンス１と同じである。すなわち、シーケンス１’では、シーケンス１のステップ［１ｅ］とステップ［１ｆ］の過程の間で、少なくとも、コンテンツに関する諸情報はコンテンツ蓄積・送出部４０が保持しており、決済・認証サーバ３０が小型情報端末１０からのコンテンツ情報（ＥＣＧ）の取得要求があった場合、その都度、決済・認証サーバ３０がコンテンツ蓄積・送出部４０に問い合わせを行い、その結果を小型情報端末１０に対してレスポンスとして返している。
【００５２】
（実施形態２）
図４は実施形態２に係るシーケンス２’を示す。シーケンス２’は、小型情報端末２０、決済・認証サーバ３０、コンテンツ蓄積・送出部４０、受像器５０により構成される配信システムによって実行される。この配信システムでも、実施形態１と同様に、利用者が小型情報端末２０の操作をすることにより、視聴するコンテンツの選択、コンテンツ視聴のための決済行為、および視聴する受像器５０を選択することが可能となっている。
【００５３】
特にシーケンス２’は、シーケンス１から事前のコンテンツ蓄積・送出部４０と決済・認証サーバ３０の間におけるコンテンツ識別子の同期処理を取り除いたもの（図２のシーケンス１’）とコンテンツの選択および決済行為を時間的に独立させ切り離すことができる仕組みになっているものと双方の特徴を同時に満たすものである。
【００５４】
また、シーケンス２’に係る決済・認証サーバ３０は、少なくとも、コンテンツ情報（ＥＣＧ）の提示機能と、選択されたコンテンツに対する決済機能と、コンテンツの購入を証明する電子データ（アサーション）を生成する機能と、それらを携帯電話等の小型情報端末に受信、蓄積および当該サーバからの指示により、蓄積された購入を証明する前記電子データを返送させる機能を持つ携帯電話用プログラムを蓄積、送付する機能を実行するようになっている。尚、前記電子データを生成する機能は第一の実施形態で説明したアサーション作成部３０６によって実行される。
【００５５】
コンテンツに関する諸情報はコンテンツ蓄積・送出部４０が保持しており、決済・認証サーバ３０が小型情報端末２０からのコンテンツ情報（ＥＣＧ）の取得要求があった場合、その都度、決済・認証サーバ３０がコンテンツ蓄積・送出部４０に問い合わせを行い、その結果を小型情報端末２０に対してレスポンスとして返している。
【００５６】
また、決済・認証サーバ３０が生成するコンテンツ購入証明の電子データの中には有効期限または且つ視聴回数情報が付与され、購入証明書の効果に制限が付与されている（後述のシーケンス２も同様）。
【００５７】
図６は本実施形態に係る小型情報端末の概略構成図である。小型情報端末２０は通信処理部２０１とアプリケーション処理部２０２と電文処理部２０３と蓄積部２０４と出力処理部２０５と出力装置２０６と入力処理部２０７と入力装置２０８と映像解析部２０９と映像入力部２１０とを備える。
【００５８】
通信処理部２０１は電波を用いて外部との入出力の通信機能を提供する。アプリケーション処理部２０２は外部から取得したアプリケーション（アサーション管理部又はそのプログラム）を実行処理する。電文処理部２０３は通信処理部２０１により受信した電文を解釈し、出力処理部２０５に渡す。また、電文処理部２０３は入力処理部２０７より与えられた情報を電文として、通信処理部に渡す機能を提供する。蓄積部２０４は外部から与えられた情報を蓄積する。例えば、アサーション管理部のプログラムやアサーション情報の蓄積を行う。出力処理部２０５は与えられた情報を出力装置２０６が出力可能できる情報に変換する。出力装置２０６は利用者に対して情報を出力する。出力装置２０６としては液晶表示装置、スピーカ等が例示される。入力処理部２０７は入力装置２０８から与えられた電気信号を処理し、電文処理部２０３が処理可能な情報に変換する。入力装置２０８はキーボード・ボタン等の入力手段である。映像解析部２０９は映像入力装置２１０が捉えた画像を解析し、情報を取り出し、入力処理部２０７に渡す。映像入力装置２１０はＣＭＯＳセンサやＣＣＤセンサなどのカメラ装置が例示される。
【００５９】
図４、図６、図１０〜図１８を参照しながらシーケンス２’について詳細に説明する。
【００６０】
視聴者は、システムを利用する前に、小型情報端末４（携帯電話）を用いて、決済・認証サーバ３０にアクセスを行い（図４のステップ［２ａ］）、アサーションをハンドリングするためのアプリケーションを決済・認証サーバ３０からダウンロードし（ステップ［２ｂ］）、実行可能な状態にしておく。
【００６１】
その後、利用者の小型情報端末４の操作により（図１０のステップ［１０１］［１０２］［１０３］）、コンテンツ蓄積・送出部４０にアクセスを行い（図４のステップ［２ｃ］）、コンテンツに関する情報をレスポンスする（図１０のステップ［１０５］，図１６のステップ［６０１］［６０２］［６１０］［６１６］，図１７の［６２３］［６２７］）。
【００６２】
次いで、利用者によりコンテンツが選択され、決済要求となると、コンテンツ蓄積・送出部４０では電文処理部４０２が当該コンテンツの識別子を生成し（図１７のステップ［６３０］）、そのコンテンツ識別子とコンテンツ蓄積・送出部４０の識別子を引数とした、アサーション蓄積レスポンスを通信処理部４０１によって送出する（図４のステップ［２ｄ］，図１７のステップ［６３１］）。
【００６３】
小型情報端末２０は、通信処理部２０１を介してアサーション蓄積レスポンスを受け取ると（図１０のステップ［１０６］）、引数とともにアサーション管理プログラムを蓄積モードで起動する（ステップ［１０７］）。
【００６４】
蓄積モードで起動（図１１のステップ［２０１］）された小型情報端末２０のアサーション管理プログラムは、決済・認証サーバ３０にアクセスし、起動時に渡された引数（コンテンツ識別子とコンテンツ蓄積・送出部４０の識別子）を通知する（図４のステップ［２ｅ］，図１１のステップ［２０２］）。
【００６５】
アクセスされた決済認証サーバ３０は、渡されたコンテンツ蓄積・送出部４０の識別子に基づき、コンテンツ蓄積・送出部４０へアクセスし（図４のステップ［２ｆ］）、指定されたコンテンツ識別子に関する情報を取得する（図４の［２ｇ］，図１３のステップ［４０１］［４０２］［４０６］［４１８］［４２５］）。また、コンテンツ蓄積・送出部４０は当該アクセスに対して、コンテンツ情報蓄積部４０３からコンテンツ識別子に対応するコンテンツの情報を送出する（図１７のステップ［６２３］［６２４］［６２５］）。
【００６６】
その後、小型情報端末２０と決済・認証サーバ３０との間で、決済確認を行うトランザクションの過程（図１１のステップ［２０３］［２０４］［２０５］［２０９］［２１０］［２１１］［２１２］，図１３のステップ［４１９］［４２０］）を経て決済処理を行う（ステップ［４２１］）。
【００６７】
決済・認証サーバ３０は、決済処理が正しく完了すると（ステップ［４２２］）、アサーション生成部３０６にて作成したアサーションを小型情報端末２０に対して送付する（図４のステップ［２ｈ］，図１３のステップ［４２３］）。小型情報端末２０は、前記アサーションを受信し、アサーションの蓄積を行い（図１１のステップ［２０６］）、利用者に対してアサーションの蓄積の完了を通知する（図１１のステップ［２０７］）。
【００６８】
これによって、小型情報端末２０内においてアサーションの蓄積が完了する。
【００６９】
視聴者が実際にコンテンツを視聴する場合には、視聴者はリモコン１１によって受像器５０に対して番組取得要求を出すように指示を行う（図４のステップ［２ｉ］）。この指示を受けた受像器５０はコンテンツ蓄積・送出部４０に対してリクエストを送出する（図１８のステップ［７０１］）。
【００７０】
コンテンツ蓄積・送出部４０は、図１６に示されたステップ［６０１］［６０２］［６１０］［６１１］［６１５］のコンテンツの選択および決済が完了していない（送出許可フラグが付いたコンテンツが無い）ため、受像器識別番号（ＣＡＳカードＩＤ）を送出するためのチャンネル選択操作のガイダンスを視聴者に対して送出し、受像器５０が当該ガイダンスを表示する（図１８のステップ［７０２］［７０３］［７０４］）。
【００７１】
視聴者により、受信機認識識別番号（ＣＡＳカードＩＤ）の送出を行うチャンネル選択がなされると（ステップ［７０５］）、コンテンツ蓄積・送出部４０は、受像器認識番号取得要求を含む信号を受像器５０に送信する（ステップ［６０２］［６０３］）。前記信号を受けた受像器５０はコンテンツ蓄積・送出部４０に対してＣＡＳカードＩＤを送出する（図４のステップ［２ｊ］，図１８のステップ［７０６］［７０７］［７０８］）。
【００７２】
図１６のステップ［６０４］でＣＡＳカードＩＤを受け取ったコンテンツ蓄積・送出部１は重複することのない十分に長い文字列を生成し（ステップ［６０５］［６０６］）、当該ＣＡＳカードＩＤと生成した文字列を受像器識別子として、ＣＡＳカードＩＤと１：１で対応させ、記録を行う（ステップ［６０７］）。
【００７３】
さらに、その後、コンテンツ蓄積・送出部１は、決済・認証サーバ３０のＵＲＬに、受像器識別子と本コンテンツ蓄積・送出部１を示す識別子を引数としたＵＲＩを、ＱＲコード生成部４０５にて生成し、それに基づくＱＲコードを生成し（ステップ［６０８］）、それを画像として受像器５０に送出する（図１８のステップ［７０９］，図４のステップ［２ｋ］）。受像器５０はコンテンツ蓄積・送出部１から受けた画像を映像出力部５０８から表示する（ステップ［７０８］）。
【００７４】
ＱＲコードが画面に表示されると、利用者が小型情報端末４で撮影することにより（図４のステップ［２ｌ］）、小型情報端末４への利用者による指示となり（図１１のステップ［２０１］）、当該ＱＲコードで指示されたＵＲＬに対し、受像器識別子とコンテンツ蓄積・送出部４０の識別子を引数としたアクセスを行う（図１１のステップ［２ｍ］，図１１のステップ［２０２］）。
【００７５】
アクセスされた決済・認証サーバ３０は、通信処理部３０１を介して、コンテンツ蓄積・送出部４０にコンテンツ情報の要求を行う（図４のステップ［２ｎ］，図１３のステップ［４０３］［４０４］）。
【００７６】
コンテンツ蓄積・送出部４０はそのアクセスに対してコンテンツ情報を通信処理部４０１から返す（図４のステップ［２ｏ］，図１７のステップ［６２３］［６２４］［６２５］）。
【００７７】
決済・認証サーバ３０は、そのレスポンスをＥＣＧとして、小型情報端末２０に通知する（図４のステップ［２ｐ］，図１３のステップ［４０５］）。
【００７８】
次に、利用者がコンテンツの選択・決済ではなく、すでに購入済みのアサーションの送付を選択すると（図４のステップ［２ｑ］，図１４のステップ［５１２］）、決済認証サーバは、アサーション管理プログラム（アサーション管理機能部）の送付モードでの起動を通知する（ステップ［２ｒ］，ステップ［５１３］）。
【００７９】
小型情報端末２０のアサーション管理機能部が送付モードで起動すると（図１１のステップ［２１３］）、プログラムは小型情報端末２０のアサーション記憶部にアクセスし（ステップ［２１４］）、取得済みのアサーションの一覧を利用者に提示する（ステップ［２１５］［２１６］）。
【００８０】
小型情報端末２０は、アサーションの選択が完了すると（ステップ［２１７］）、当該アサーションを決済・認証サーバ３０に送付する（図４のステップ［２ｓ］，図１１のステップ［２１８］）。
【００８１】
決済・認証サーバ３０は、送付されたアサーション（図１４のステップ［５０１］［５０２］）の正当性（ステップ［５０３］）や有効期限（ステップ［５０４］）、視聴回数（ステップ［５０５］）の確認を電文処理部３０２にて行い、いずれにも問題が無い場合には、コンテンツ蓄積・送出部４０にコンテンツ識別子と受像器識別子を送付する（図４のステップ［２ｔ］，図１４のステップ［５０６］）。
【００８２】
また、決済・認証サーバ３０は、小型情報端末２０に対して、アサーションの受付通知と視聴回数の減算処理を通知する（図４のステップ［２ｕ］，図１４のステップ［５１５］）。
【００８３】
小型情報端末２０は、アサーションの正常送付が通知されると（図１１のステップ［２１９］）、利用者に送付完了を通知し（ステップ［２２０］）、アサーションの視聴回数を指示された回数分、減算処理を行う（ステップ［２２１］）。
【００８４】
図１６のステップ［６１６］［６１７］で決済・認証サーバ３０からの決済完了通知として受像器識別子とコンテンツの識別子を受け取ったコンテンツ蓄積・送出部４０は、当該受像器識別子を持つ受像器５０からのリクエストを探し（ステップ［６１８］）、当該リクエストが要求しているコンテンツに対して、送出許可フラグを立てる（ステップ［６１９］）。また、当該受像器に対して初期リクエスト画面を送出中であれば（ステップ［６２０］）、決済の完了と動画像コンテンツの送出準備が完了した旨のガイダンスを送出する（ステップ［６２１］）。
【００８５】
その後、コンテンツ蓄積・送出部４０の処理として、送出許可フラグが付いているコンテンツの検出により（ステップ［６１１］）、当該コンテンツを指定された受像器５０に対して送出を開始する（図４のステップ［２ｖ］，図１６のステップ［６１２］）。受像器５０は通信インタフェース５０９によって前記コンテンツを受信する。コンテンツの送出が終了すると（図１６のステップ［６１３］）、コンテンツ蓄積・送出部４０はコンテンツの送出終了処理を行う（図１６のステップ［６１４］）。
【００８６】
また、シーケンス２の変形例として、図３に例示されたシーケンス２が挙げられる。シーケンス２はシーケンス２’のステップ［２ｎ］［２ｏ］を有していないこと以外はシーケンス２’と同じである。
【００８７】
以上説明した実施形態に係るシーケンス１，１’，２，２’を実行する配信システムによれば、コンテンツ視聴者は、極めてパーソナルな既存の小型情報端末１０，２０を用いて、視聴したいコンテンツを任意に選択し、決済を行い、視聴権を購入することができるほか、視聴者が所望する受像器５０で閲覧できる。また、受像器５０が、課金・決済の鍵とは成っていないため、受像器５０の所有者が、小型情報端末１０，２０の所有者と異なっていても、小型情報端末１０，２０が、受像器５０の近傍にあることを担保することで、視聴が可能となる。しかも、小型情報端末１０、受像器５０共に、既存の機器をそのまま利用可能であるという点において、従来のシステムとは異なる非常に大きな利便性を視聴者に提供しうるという効果がある。したがって、本願発明の導入のコストが非常に低く抑えられる。
【００８８】
また、上記コンテンツ配信システムは、ＩＰによる放送コンテンツの配信を前提としているが、仮に従来の電波の周波数を無限に使用する事が可能で、コンテンツ蓄積・送出部４０に相当する機能を放送局が放送システムで実施することにより、本方式はそのまま、電波を用いた放送システムの上でも実現可能である。ただし、この場合、受像器５０からコンテンツ蓄積・送出部４０に対しての通信は、一般的な既存のデジタルテレビジョン装置が具備する通信装置を用いて実現する必要がある。
【００８９】
尚、上述の実施形態に係る配信システムを構成する小型情報端末１０，２０、決済・認証サーバ３０、コンテンツ蓄積・送出部４０、受像器５０は、上述の実施形態に限定されるものでなく、装置１０〜５０を構成する各機能ブロック１０１〜１０８，２０１〜２１０，３０１〜３０６，４０１〜４０６，５０１〜５１１に係る処理としてコンピュータを機能させるプログラムの態様としてもよい。前記プログラムはコンピュータ読み取り可能な既知の記録媒体に格納して提供またはネットワークを通じて提供することもできる。
【図面の簡単な説明】
【００９０】
【図１】発明の第一の実施形態に係るシーケンス１の説明図。
【図２】発明の第一の実施形態に係るシーケンス１’の説明図。
【図３】発明の第二の実施形態に係るシーケンス２の説明図。
【図４】発明の第二の実施形態に係るシーケンス２’の説明図。
【図５】発明の第一の実施形態に係る小型情報端末の概略構成図。
【図６】発明の第二の実施形態に係る小型情報端末の概略構成図。
【図７】発明の実施形態に係る決済認証サーバの概略構成図。
【図８】発明の実施形態に係るコンテンツ蓄積・送出部の概略構成図。
【図９】発明の実施形態に係る受像器の概略構成図。
【図１０】シーケンス１，１’，２，２’における小型情報端末の動作を説明したフローチャート。
【図１１】シーケンス２，２’における小型情報端末の動作例を説明したフローチャート。
【図１２】シーケンス１，２における決済・認証サーバの動作例を説明したフローチャート。
【図１３】シーケンス１’，２’における決済・認証サーバの動作例を説明したフローチャート。
【図１４】シーケンス２，２’における決済・認証サーバの動作例を説明したフローチャート。
【図１５】シーケンス１，２におけるコンテンツ蓄積・送出部の動作例を説明したフローチャート。
【図１６】シーケンス１’，２’におけるコンテンツ蓄積・送出部の動作例を説明したフローチャート。
【図１７】シーケンス１’，２’におけるコンテンツ蓄積・送出部の動作例を説明したフローチャート。
【図１８】シーケンス１，１’，２，２’における受像器の動作を説明したフローチャート。
【符号の説明】
【００９１】
１０，２０…小型情報端末
１１…リモコン
３０…決済・認証サーバ（決済認証サーバ）
４０…コンテンツ蓄積・送出部（コンテンツ供給源）
５０…受像器
３０１…通信処理部（通信処理手段）
３０２…電文処理部（電文処理手段）
３０４…決済処理部（決済処理手段）
３０６…アサーション生成部（電子データ作成手段）
【図１】
2010170253.tif 000003
【図２】
2010170253.tif 000004
【図３】
2010170253.tif 000005
【図４】
2010170253.tif 000006
【図５】
2010170253.tif 000007
【図６】
2010170253.tif 000008
【図７】
2010170253.tif 000009
【図８】
2010170253.tif 000010
【図９】
2010170253.tif 000011
【図１０】
2010170253.tif 000012
【図１１】
2010170253.tif 000013
【図１２】
2010170253.tif 000014
【図１３】
2010170253.tif 000015
【図１４】
2010170253.tif 000016
【図１５】
2010170253.tif 000017
【図１６】
2010170253.tif 000018
【図１７】
2010170253.tif 000019
【図１８】
2010170253.tif 000020